(57)【要約】      （修正有）【課題】基礎及び土壌を含む建築基礎部分に効率的に熱を溜め、その熱を効率よく部屋に運んで電気代の節減と共に自然エネルギー消費を抑え、二酸化炭素排出量の削減を図り得るエコハウスを提供する。【解決手段】断熱された立ち上がり１ａを設けた基礎部分１で囲まれた床下空間Ｓに暖房用配管を配設し、立ち上がり上部に断熱木造壁２を立設して部屋空間を形成する一方、建物の側壁２ａ及び天井壁２ｂとして、該側壁及び天井壁の外周には建物外壁３との間に通気層４を形成すると共に、部屋空間には上下の部屋Ａ，Ｂを作り、床下空間Ｓと下部部屋Ｂとの間に床下より上昇する空気流通路９，１０を形成して下部部屋Ｂ内を空気循環雰囲気に保持せしめると共に、上部部屋Ａに床下空間より下部部屋の外周に沿って上昇する空気を流入する通気口１２を設けて、上部部屋内を空気循環雰囲気に形成した構成である。【選択図】図１
0003150126.tif 000002
【実用新案登録請求の範囲】
【請求項１】
断熱された立ち上がりを設けた基礎部分で囲まれた床下空間に暖房用配管を配設し、立ち上がり上部に一体に自然素材よりなる木造壁を立設して内部に部屋空間を形成してなり、木造壁は発泡ウレタン樹脂が吹き付けられた断熱壁であって、建物の側壁及び天井壁を形成していると共に、側壁及び天井壁の外周には建物外壁との間に側壁の上部及び下端に給排気口を有して通気層が形成されており、側壁内の部屋空間は床材を介して上下の部屋空間に分離され、床下空間と下部部屋との間には床下中央部より上昇し、また部屋外周に沿って上昇する空気流通路が形成されて下部部屋内を空気循環雰囲気に保持せしめていると共に、該部屋空間の床には下部部屋と床下空間を連通する空気流通孔が穿孔されている一方、上部部屋の床材には床下空間より下部部屋の外周に沿って上昇する空気を流入する通気口が設けられて、上部部屋内を空気循環雰囲気に形成していると共に、上部部屋には建物外部と連通して内部空気を排出可能な排気口が、一方、下部部屋には建物外部より外気を導入可能な給気口が設けられていることを特徴とするエコハウス。
【請求項２】
立ち上がりを設けた基礎部分が下部より土壌，砕石，捨てコンクリート，防蟻機能付き防温シート，保護モルタルの順に敷設形成されてなり、立ち上がりは断熱材で断熱され、底部は断熱されることなしに該基礎部分に囲まれた床下空間はモルタル上にヒートポンプに連結された温水配管が送入側と還流側を波状に並行させた状態で配設固定されていると共に、その上部にモルタルによる保護層が施されている請求項１記載のエコハウス。
【請求項３】
木造壁の断熱壁外周に更に遮熱シートを被着した請求項１または２記載のエコハウス。
【考案の詳細な説明】
【技術分野】
【０００１】
本考案は自然エネルギーと深夜電力の活用により電気代の節減を図ると共に、換気サイクルにより室内を冬は暖かく、夏涼しい好適な環境を保持することができるエコハウスに係り、特に建築基礎及び土壌に効率的に熱をため、その熱を効率よく１階及び２階に運ぶことができるエコハウスに関するものである。
【背景技術】
【０００２】
従来、住宅等の建物において室内の冷暖房を高めるために壁体部分を断熱構造とすることは広く知られているが、従来の建物は全体として断熱性や気密性が充分でなく、しかも換気システムの管理も季節によって変えなければならないという問題点があった。そこで、外気導入ダクトから建物内に外気を導入し、建物内で空気を還流するようにして建物の各部屋全体を新鮮な空気によって換気すると共に、外気が室内からの排気と全熱交換されることで季節を通じて好適な温度，湿度に調整された良好な住環境を得ることができるようにした空気循環建物（例えば特許文献１参照）や、夏期においては水の気化熱を冷房エネルギーに利用し冬期においては太陽熱を活用しつつ深夜電力を利用してエネルギー消費に伴う環境負荷をかけずに安価で手軽な方法で快適な空間を構築せしめた建物（例えば特許文献２参照）などが提案されている。
【先行技術文献】
【特許文献】
【０００３】
【特許文献１】特許第２９０５４１７号公報
【特許文献２】特開２００４−３３３１０６号公報
【考案の概要】
【考案が解決しようとする課題】
【０００４】
しかし、上記提案に係る各建物は夫々従来の建物の冷暖房構造や空気循環構造に比し、遙かに効率的であり、省エネルギー利用をはかり、温度調節，湿度調節を通じて良好な住環境を構築する効果を有しているが、自然素材を用いた木造住宅において同様な効果を得ることには稍、難があり、特に住宅の１階及び２階に夏冬に応じ効率よく熱を運ぶには問題があった
本考案は上述の如き実状に鑑み、木造住宅、特に１，２階を有する住宅における空気循環システムを開発し、建築の基礎及び土壌に効率的に熱をため、これを１階，２階に効率よく運ぶ方式を見出し、電気代の節減と共に自然エネルギーの消費量を抑え、二酸化炭素排出量の削減を図るエコハウスを提供することを目的とするものである。
【課題を解決するための手段】
【０００５】
即ち、上記目的に適合する本考案エコハウスは、断熱された立ち上がりを設けた基礎部分で囲まれた床下空間に暖房用配管を配設し、立ち上がり上部に一体に自然素材よりなる木造壁を立設してその内部に部屋空間を形成してなり、木造壁は発泡ウレタン樹脂が吹き付けられた断熱壁であって、建物の側壁及び天井壁を形成していると共に、側壁及び天井壁の外周には、建物外壁との間に側壁の上部及び下端に給排気口を有して通気層が形成されており、側壁内の部屋空間は床材を介して上下の部屋空間に分離され、床下空間と下部部屋空間との間には床下中央部より上昇し、また部屋外周に沿って上昇する空気流通路が形成されて下部部屋内を空気循環雰囲気に保持せしめていると共に、該部屋空間の床には下部部屋と床下空間を連通する空気流通孔が穿設されている一方、上部部屋の床材には床下空間より下部部屋の外周に沿って上昇する空気を流入する通気口が設けられて、上部部屋内を空気循環雰囲気に形成していると共に、上部部屋には建物外部と連通して内部空気を排出可能な排気口が、一方、下部部屋には建物外部より外気を導入可能な給気口が設けられている構成よりなる。なお、上記構成において立ち上がりを設けた基礎部分は下部より土壌，砕石，捨てコンクリート，防蟻機能付き防温シート，保護モルタルの順に敷設形成すると共に、立ち上がりは断熱材で断熱し、底部は断熱することなしに該基礎部分で囲まれた床下空間には上記保護モルタル上にヒートポンプに連結された温水配管を送入側と還流側を互いに波状で並行状態として配設し、保護モルタルでその上部を保護せしめるように構成することが熱を溜める上に好適であり、また木造壁を形成する断熱壁外周には遮熱シートを被着することが熱を保持し、１階及び２階に効率よく熱を運ぶのに有効である。
【考案の効果】
【０００６】
本考案エコハウスは、床材で分離された１階と２階よりなる木造建物において、外壁と断熱壁よりなる側壁及び天井壁との間に通気層を有して熱と湿気を排出すると共に遮熱シートを随時、被着することにより夏は日射熱を反射し、冬は冷気を反射して部屋空間への外熱の影響を阻止し、冬は床下空間に効率よく溜められた熱により上下部屋空間に熱気が効率的に上がる暖気ルートを作って、夏は日射熱を遮熱シートにより遮断する一方、室内の排熱，温気排除を可能として新鮮な空気を循環せしめて夏冬を問わず快適な住環境を得ることができる効果を有する。
【図面の簡単な説明】
【０００７】
【図１】本考案に係るエコハウスの夏期の空気の流れを示す図である。
【図２】本考案に係るエラストマーの冬期の空気の流れを示す図である。
【図３】本考案エコハウスの基礎部分の構成例を示す部分図である。
【考案を実施するための形態】
【０００８】
以下、更に添付図面に基づいて本考案エコハウスの具体的形態を説明する。図１，図２は本考案エコハウスの１例で、全体における空気の流れを示しており、図１は夏期の空気の流れ、図２は冬期の空気の流れを示している。
【０００９】
これら図においてＳは基礎部分１で囲まれた床下空間であり、一般的な木造住宅で採用されている基礎通気については床下は屋外なため、床下に断熱材を貼ることにより室内空間と遮断しているが、本考案においては床下空間を室内空間として底面は断熱せず、基礎の立ち上がり１ａ外側を断熱材１ｂで基礎立上断熱を行なっている。そのために基礎に湿気を含む風が入らないように基礎気密パッキンを取り付けるようにする。
【００１０】
ここで、上記基礎部分１は特に図示していないが、一般の基礎構成に従って下部より土壌，砕石，捨てコンクリート，防蟻機能付き防温シート，保護モルタルの順に敷設形成されており、特に本考案においては図３に示す如く基礎部分１に囲まれた床下空間Ｓに基礎部分１外に配置されたヒートポンプ等に連結された温水配管Ｐが配設されている。
【００１１】
この温水配管Ｐは図１では示していないが、通常、ヒートポンプより４個所に分かれて床下空間Ｓ内に延び、該空間内で温水送入側と還流側を波状をなし、かつ並行状態で配設して送入側，還流側の温水の平衡化をはかっている。
【００１２】
従って、上記基礎部分の構成は、基礎立ち上がり断熱と共に、熱を逃がさないために基礎立ち上がりまで蓄熱体として利用することが可能である。但し、この蓄熱体は夏には電源を切って作動させないようにすることが好ましい
上記基礎部分１による床下空間Ｓに続いてその立ち上がり上部に自然素材による木造壁２が一体に立設され、該木造壁２を側壁２ａ，天井壁２ｂとして、内部に部屋空間が形成されて床材７を介して上下に夫々部屋Ａ，Ｂが形成されている。図においては下部部屋Ｂは一般的な木造住宅として特に２部屋に作成れた場合を示している。
【００１３】
なお、上記構成において木造壁は屋外から建物内へ熱の進入，また建物から屋外への熱の流出を防ぐために発泡ウレタン樹脂が吹き付けられた断熱壁により形成されており、また、側壁２ａ，天井壁２ｂの外周において建物外壁３との間に通気層４を形成して側壁２ａの上部及び下端に夫々給排気口５，６を設けることにより通気を取ると共に熱と湿気を排出するようにしている。
【００１４】
更に、夏の日射対策として側壁２ａ，天井壁２ｂに遮熱シート８、好ましくは透湿，遮熱シートを被着することが効果的である。側壁２ａによって囲まれた部屋空間は前述の如く上部部屋Ａと下部部屋Ｂに形成されているが、下部部屋Ｂは比較的暖まるが上部部屋Ａは暖まり難いので床下の熱気が上がるように構成が施される。そのため、先ず床下空間Ｓと下部部屋Ｂ空間には床下中央部より上昇する空気流通路９と部屋外周に沿って側壁２ａとの間を上昇する空気流通路１０が形成されていて下部部屋Ｂ内を空気循環雰囲気に保持せしめるようになにっていると共に、分割された各部屋の床には床下空間Ｓと連通する空気流通路１１が設けられている。
【００１５】
また、上部部屋Ａにおいては上下の部屋を仕切る床材７に床下空間Ｓより下部部屋Ｂの外周、即ち、内壁に沿って上昇する空気を流入する通気口１２が設けられて床下より下部部屋内壁、上部部屋床（下部部屋天井）を経て上部部屋Ａに暖気を送り空気循環雰囲気として上部部屋Ａを暖める暖気ルートを形成している。
【００１６】
なお、上部部屋Ａと下部部屋Ｂには建物外部と連通して、前者には冬期は閉じられ、夏期に内部空気を排出する排気口１３が、一方、下部部屋Ｂには冬期は閉じ、夏期に外気を導入する給気口が夫々設けられていて夏冬の気温に対し調整を図っている。
【００１７】
かくして、側壁、天井壁において遮熱シートにより夏の日射を遮段し、冬は内部の熱を反射して暖房に寄与させて、全体構成により夏は涼しく、冬は暖かい部屋空間を形成せしめている。
【００１８】
以下、上記の構成に基づく建物内における空気の流れを図に従って説明すると、図１に示す如く夏期には遮熱シート８により熱気を反射して建物外壁３と側壁２ａ，天井壁２ｂ間の通気層４を下部より上方に冷気を流入せしめると共に、上下の各部屋Ａ，Ｂ内を床下空間よりの空気を循環せしめることにより涼しい部屋雰囲気を醸成する。
【００１９】
一方、冬期には遮熱シートにより冷気を反射させ、建物外壁３と側壁，展示用壁の間の通気層４を上部より空気を導入し下部より排出して保温を図ると共に、床下空間Ｓに床下に設置された蓄熱暖房により暖気を下部部屋Ｂの床における空気流通孔１１を介して部屋内に循環させることにより下部部屋Ｂを暖め、更に側壁内を通り床下より暖気を上部部屋Ａに送入し、該暖気を循環せしめることにより上部部屋Ａを暖めて、夏期，冬期を通じ部屋内空間の温度差を少なくし、夏期に冷暖負荷の軽減と中間期の冷暖房をなるべく行なわなくて済むようにして省エネルギーと共に温度，湿度の調節を図り、快適な建物を提供することができる。
【符号の説明】
【００２０】
Ａ：上部部屋
Ｂ  下部部屋
１：基礎部分
１ａ：立ち上がり
１ｂ：断熱材
２：木造壁
２ａ：側壁
２ｂ：天井壁
３:建物外壁
４：通気層
５：上部給排気口
６：下部給排気口
７：床材
８：遮熱シート
９，１０：空気流通路
１１：下部部屋の床の空気流通孔
１２：上部部屋の通気口
１３：上部部屋の排気口
１４：下部部屋の給気口
【図１】
0003150126.tif 000003
【図２】
0003150126.tif 000004
【図３】
0003150126.tif 000005